(57)【要約】【課題】ケトル本体を傾けて注湯する給湯時に、片手で容易に操作を行うことができ、さらに、迅速に給湯が始まる電気ケトルを得る。【解決手段】注口９を介する湯水の本体ボディ７からの流出を阻止可能な弁機構２０と、前記弁機構２０を操作する給湯操作部１４を備え、給湯操作部１４をハンドル１０に設けるとともに、上面視、注口９と給湯操作部１４との間に、注口９を介する湯水の本体ボディ７からの流出を阻止可能な弁機構２０を、注口側に寄せて設ける。【選択図】図５
2010069017.tif 000002
【特許請求の範囲】
【請求項１】
本体内の水を加熱する加熱機構、当該加熱機構を始動する始動スイッチを備えるとともに、加熱完了を検知して前記加熱機構による加熱を停止する停止機構を備え、上部側に開口を有する本体ボディと、前記本体ボディの開口を閉止する蓋体とから構成され、
前記蓋体が開口を閉止する閉止姿勢と、前記開口が開いた開放姿勢との間で、前記蓋体が前記本体ボディに設けられる揺動軸周りに揺動可能に構成され、
前記蓋体に注口及び蒸気口を、前記本体ボディにハンドルを備えた電気ケトルであって、
前記注口を介する湯水の本体ボディからの流出を阻止可能な弁機構と、前記弁機構を操作する給湯操作部を備え、
前記給湯操作部を前記ハンドルに設けるとともに、上面視、前記注口と前記給湯操作部との間に、前記弁機構を前記注口側に寄せて設けた電気ケトル。
【請求項２】
前記弁機構が、蓋本体に設けられる弁座と、当該弁座に当接した状態で湯水の流出を阻止する弁体と、前記弁体を閉状態側に付勢する弁体付勢機構とを備えて構成され、
前記弁体が、前記蓋本体に設けられる案内孔内を移動する中心移動軸と、前記中心移動軸と同心に設けられる環状弁部を備えて構成され、
前記案内孔に沿った前記中心移動軸の移動に従って弁機構が開閉される請求項１記載の電気ケトル。
【請求項３】
前記中心移動軸と同心に設けられ、前記中心移動軸の移動方向に伸びる外径側円筒部を備えるとともに、
前記環状弁部が、前記外径側円筒部から外径側に延出される構成で、
前記外径側円筒部から内径側に延出される補強リブ部を設けた請求項２記載の電気ケトル。
【請求項４】
前記中心移動軸と前記環状弁部とを、前記中心移動軸の一端側で連結する連結部を備え、前記中心移動軸の外径側周部に、軸方向に延びる凸部を設けるとともに、前記案内孔の内径面に、軸方向に延びる凹部を設け、前記凸部が前記凹部に嵌込して案内される請求項２又は３記載の電気ケトル。
【請求項５】
前記弁体付勢機構が、前記蓋本体側に設けられる固定支持部材と、前記固定支持部材に一端側を支持された状態で、前記中心移動軸を閉状態側に付勢する弾性部材とを備えて構成されている請求項２〜４のいずれか一項記載の電気ケトル。
【請求項６】
前記給湯操作部が、前記弁機構の閉状態を維持する待機位置と前記弁機構が開状態とされる操作位置との間で、移動自在に構成されるとともに、前記給湯操作部を前記待機位置に付勢する給湯操作部付勢機構を備え、
前記給湯操作部が前記給湯操作部付勢機構の付勢力に抗して操作位置側へ操作された被操作状態で、前記弁機構が開弁される構成で、
前記待機位置からの前記給湯操作部の操作量に従って、前記弁機構の開度が変化する請求項１から５のいずれか一項記載の電気ケトル。
【発明の詳細な説明】
【技術分野】
【０００１】
本発明は、本体内の水を加熱する加熱機構、当該加熱機構を始動する始動スイッチを備えるとともに、加熱完了を検知して前記加熱機構による加熱を停止する停止機構を備え、上部側に開口を有する本体ボディと、前記本体ボディの開口を閉止する蓋体とから構成され、
前記蓋体が開口を閉止する閉止姿勢と、前記開口が開いた開放姿勢との間で、前記蓋体が前記本体ボディに設けられる揺動軸周りに揺動可能に構成され、
前記蓋体に注口及び蒸気口を、前記本体ボディにハンドルを備えた電気ケトルに関する。
【背景技術】
【０００２】
この種の電気ケトルは、「欲しい時に、欲しい分だけ」というキャッチフレーズのもとに、現在販売されているものであり、電源プレートと、その電源プレートから電力の供給を受けて、ケトル本体に注がれた水を加熱する加熱機構を備えている。加熱により得られる湯は、ケトル本体を電源プレートから持ち上げ、ケトル本体を傾けることで注口から取り出すことができる。
【０００３】
加熱完了の検知に関しては、例えば、湯から発生する蒸気を検知部に導き、その蒸気を検知することで、加熱を停止する構成とされている。従って、実際に蒸気が発生している沸騰状態を、簡易な構成で、正確かつ確実に検知して、「欲しい時に、欲しい分だけ」湯を供給できる。この種の電気ケトルは、今日、一般に広く販売されているものではあるが、具体的な出願例は、未だ公開例は少なく、その先行技術を文献で示すことはできない。
【発明の開示】
【発明が解決しようとする課題】
【０００４】
本出願人による従来構成の電気ケトルの縦断面図を図１３に示した。
この電気ケトル１００は、本体ボディ１０３内の水を加熱する加熱機構１０１、当該加熱機構１０１を始動する始動スイッチ（加熱操作スイッチ１１５）を備えるとともに、加熱完了を検知して加熱機構１０１による加熱を停止する停止機構１１８を備えている。
さらに、電気ケトル１００は、上部側に開口を有する本体ボディ１０３と、本体ボディ１０３の当該開口を閉止する蓋体１０８とを備えて構成され、蓋体１０８が開口を閉止する閉止姿勢と、開口が開いた開放姿勢との間で、蓋体１０８が本体ボディ１０３に設けられる揺動軸周りに揺動可能に構成されている。
また、蓋体１０８には注口１０９及び蒸気口１１２を、本体ボディ１０３にはハンドル１１０を備えている。
さらに、従来、弁体１１３の開閉を行う給湯操作ボタン１１４（給湯操作部の一例）は、電気ケトル１００の上部ほぼ中央に設けられ、加熱操作スイッチ１１５は、ハンドル１１０の上側に設けられていた。
この構造では、ハンドルを握った状態で加熱開始操作を行うことは可能であるが、給湯時に、ハンドルを保持したまま給湯操作ボタンを、片手で操作することができない。そこで、従来、給湯操作ボタンは開閉何れかの状態に択一的に操作できる開閉操作型とされており、給湯操作ボタンを開状態した後ケトル本体を傾けたり、ケトル本体を傾けた状態で、もう片方の手で給湯操作ボタンを開状態とする必要があり、操作性に改良の余地があった。
また、弁が全開状態又は全閉状態に維持されるのみであるため、給湯量を調整することができず、さらに、本体ボディの傾けに伴って急速に給湯するという点で改良の余地があった。
【０００５】
本発明の目的は、ケトル本体を傾けて注湯する給湯時に、片手で容易に操作を行うことができ、迅速に給湯が始まる電気ケトルを得ることにある。
【課題を解決するための手段】
【０００６】
上記目的を達成するための、本体内の水を加熱する加熱機構、当該加熱機構を始動する始動スイッチを備えるとともに、加熱完了を検知して前記加熱機構による加熱を停止する停止機構を備え、上部側に開口を有する本体ボディと、前記本体ボディの開口を閉止する蓋体とから構成され、
前記蓋体が開口を閉止する閉止姿勢と、前記開口が開いた開放姿勢との間で、前記蓋体が前記本体ボディに設けられる揺動軸周りに揺動可能に構成され、
前記蓋体に注口及び蒸気口を、前記本体ボディにハンドルを備えた電気ケトルの本願第１の特徴構成は、
前記注口を介する湯水の本体ボディからの流出を阻止可能な弁機構と、前記弁機構を操作する給湯操作部を備え、
前記給湯操作部を前記ハンドルに設けるとともに、上面視、前記注口と前記給湯操作部との間に、前記弁機構を前記注口側に寄せて設けたことにある。
【０００７】
電気ケトルでは、その前後方向として注口を前側、ハンドルを後ろ側として定義することができる。そして、本願に係る電気ケトルでは、この前後方向の注口側に弁機構を設けるとともに、ハンドルに給湯操作部を設ける。結果、ハンドル側から給湯操作を行いながら注口に寄せて設けられた弁機構を開閉操作することができ、使い勝手が良い。また、給湯操作時の残水量を極力、低減することができる。そして、この構成では、弁体を注口側に寄せるため、迅速に給湯を開始できる。
【０００８】
上記構成において、前記弁機構が、蓋本体に設けられる弁座と、当該弁座に当接した状態で湯水の流出を阻止する弁体と、前記弁体を閉状態側に付勢する弁体付勢機構とを備えて構成され、
前記弁体が、前記蓋本体に設けられる案内孔内を移動する中心移動軸と、前記中心移動軸と同心に設けられる環状弁部を備えて構成され、
前記案内孔に沿った前記中心移動軸の移動に従って、弁機構が開閉されることが好ましい。この構成が本願第２の特徴構成である。
【０００９】
この構成では、弁機構を弁体、弁座、弁体付勢機構で構成するが、弁体付勢機構を閉状態側に弁体を付勢する構成とすることで、案内孔に沿って、中心移動軸が移動操作された状態で開弁される構成とすることができる。さらに、弁体に中心移動軸を設け、この中心移動軸と同心の環状弁部とを備えることで、図１３に示す従来構成のように、移動軸と弁部との中心が異ならせてある構造より、弁体の移動における姿勢を安定させることができ、スムーズな移動（開閉弁操作）を実現できる。
【００１０】
さらに、前記中心移動軸と同心に設けられ、前記中心移動軸の移動方向に伸びる外径側円筒部を備えるとともに、
前記環状弁部が、前記外径側円筒部から外径側に延出される構成で、
前記外径側円筒部から内径側に延出される補強リブ部を設けることが好ましい。この構成が本願第３の特徴構成である。
【００１１】
中心移動軸及び環状弁部を設けるに、さらに、外径側円筒部と補強リブ部を設けることで、弁体自体を剛性が高く、中心移動軸と環状弁部との位置関係が確実に守られる構造を得ることができる。また、外径側円筒部から内径側に延出される補強リブ部を設けることで、外径側円筒部に対して、環状弁部を外径側に、補強リブ部を内径側に設けてひずみ等の発生し難い剛性の高いものとできる。また、補強リブ部を一種の被案内部とすることも可能となる。
【００１２】
さらに、前記中心移動軸と前記環状弁部とを、前記中心移動軸の一端側で連結する連結部を備え、前記中心移動軸の外径側周部に、軸方向に延びる凸部を設けるとともに、前記案内孔の内径面に、軸方向に延びる凹部を設け、前記凸部が前記凹部に嵌込して、案内される構成を採用することが好ましい。この構成が本願第４の特徴構成である。
【００１３】
このように、前記凸部が前記凹部に嵌込して案内される構成を採用することで、弁体の蓋本体に対する回り止めを実現できる。
【００１４】
また、前記弁体付勢機構が、前記蓋本体側に設けられる固定支持部材と、前記固定支持部材に一端側を支持された状態で、前記中心移動軸を閉状態側に付勢する弾性部材とを備えて構成される構造も好ましい。この構成が本願第５の特徴構成である。
固定支持部材を蓋本体側から支持して、弾性部材の付勢座を構成することで、安定した弁体の付勢構造を実現できる。この点からも、弁体の付勢移動を安定したものとできる。ここで、弾性部材としては、コイルスプリング等を採用することができるが、本願においては、案内孔を摺動する中心移動軸を採用する構造とするため、下記する実施形態に示すように、中心移動軸内にコイルスプリングの収納溝を設け、固定支持部材側からコイルスプリングで中心移動軸を閉状態側に付勢する構造とすると、コンパクトな構成で、弁機構の開閉操作を安定したものとできる。
【００１５】
さらに、これまで説明してきた構成において、
前記給湯操作部が、前記弁機構の閉状態を維持する待機位置と前記弁機構が開状態とされる操作位置との間で、移動自在に構成されるとともに、前記給湯操作部を前記待機位置に付勢する給湯操作部付勢機構を備え、
前記給湯操作部が前記給湯操作部付勢機構の付勢力に抗して操作位置側へ操作された被操作状態で、前記弁機構が開弁される構成で、
前記待機位置からの前記給湯操作部の操作量に従って、前記弁機構の開度が変化する構成を採用することが好ましい。この構成が本願第６の特徴構成である。
この構成では、待機位置で操作待ちしている給湯操作部を待機位置と操作位置との間で操作することで、弁機構の開閉操作を適切に実現できる。
【発明を実施するための最良の形態】
【００１６】
本発明の実施の形態について、図面に基づいて説明する。
図１は、本願に係る電気ケトル１の外観視図であり、図２は、その使用状態を示す図であり、図３〜図１２は、その内部構造を示す図である。
【００１７】
電気ケトル１は、電源プレート２とケトル本体３から構成されている。
電源プレート２は、外形円形のプレートとして構成されており、その上面の中心側に給電機構４を備えている。その下面は電源ケーブル５の収納部となっている。使用時には、電源プレート２の下面から電源ケーブル５を引き出し、コンセント(図外)に接続することで、給電機構４を介して、ケトル本体３に給電可能となる。
給電機構４は、電源プレート２の中心側位置に、その上面より突出して形成されており、この給電機構４の外観形状は概略円柱状となっている。給電機構４は、中心穴４ａと、その中心穴４ａと同心に設けられる環状穴４ｂとを備え、これら穴４ａ，４ｂに設けられる電極部（給電用）と、給電機構４の円柱状外周部位の周方向一部に設けられる検知用電極４ｃとを備えている。この検知用電極４ｃは、電源プレート２とケトル本体３とが給電姿勢にあることを検知する。
電源プレート２上にケトル本体３が載置された給電状態（給電姿勢）においては、図３に示すように、給電機構４がケトル本体３内に嵌り込み、ケトル本体３に設けられる受電機構１７を介して給電が可能となる。
【００１８】
ケトル本体３は、上側開放の概略容器形状に構成される本体ボディ７と、その開口を覆う蓋体８とを主な部材として構成されている。この蓋体８は、ケトル本体３の上部、本体横断方向の一端に設けられた揺動軸８ａ周りに揺動自在に構成されており、蓋体８を上側に揺動させて蓋を開放した状態（開放姿勢）で、本体ボディ７内に注水することが可能となる。一方、蓋体８が本体ボディ７の開口を閉止した状態（閉止姿勢）で、湯の加熱が可能となっている。
本例では、図３に示すように、本体ボディ７内に樹脂製の本体ボディ７とは別体のステンレス製の内容器７０を別に備えている。蓋体８は、図３、図９、図１０に示すように、概略円柱状に構成され、非常に複雑な構成の蓋本体８０と、この蓋本体８０に上方から被さる蓋カバー８１と、蓋本体８０の下側に結合され、閉状態で内容器７０を密閉する容器用パッキン８２を備えた下板８３を備えて構成されている。上記蓋カバー８１には蒸気口１２が、上記下板８３には、湯水の流通孔８３ａ及び蒸気の流通孔８３ｂが夫々設けられている。
後に詳細に説明するが、本願の電気ケトル１では、注口９に対する弁機構２０と、給湯操作ボタン１４との間に、給湯操作ボタン１４の位置に従って、本体ボディ前後方向に移動自在な移動部材２５が設けられている。
【００１９】
図１〜図３に示すように、ケトル本体３には、その上部側に注口９を、この注口９の本体ボディ前後方向反対側にハンドル１０を備えている。さらに、注口９とハンドル１０との間に、注口９側から、蓋体８の開閉のための蓋体開閉操作部１１を備えるとともに、蒸気口１２を備えている。
【００２０】
注口９の内部側には給湯制御用の弁体５０が設けられており、この弁体５０が、給湯操作ボタン１４の操作状況に応じて、上下方向に移動制御されることで、ケトル本体３を傾けても、給湯操作ボタン１４が押し込み姿勢に無い限り、注口９から湯がでることがないように構成されている。図３に示す給湯操作ボタン１４の突出姿勢（待機位置）では、湯が出ることはない。一方、図５に示す、給湯操作ボタン１４の引退姿勢（操作位置）では、給湯が可能である。
【００２１】
ケトル本体３の下部、ハンドル１０の下側には加熱操作スイッチ１５（始動スイッチの一例）が備えられ、この加熱操作スイッチ１５を下側に押下げ操作することで、加熱機構１６による加熱を開始することができる。図３に示すように、加熱操作スイッチ１５が上側位置を取る待機姿勢で、加熱開始操作を待機する。一方、加熱操作スイッチ１５が下側位置を取る加熱維持姿勢で、加熱を継続する。
加熱機構１６は、受電機構１７から電気の供給を受ける電気ヒータから構成されており、電気ヒータは、ケトル本体の下部に円周状を成して配置されている。
【００２２】
図３、図４に示すように受電機構１７は、ケトル本体３の中心側位置に、その底面から引退して形成されており、この受電機構１７も、その外観形状は概略円柱状となっている。受電機構１７は、中心ガイドピン１７ａと、その中心ガイドピン１７ａと同心に設けられる内径側環状電極１７ｂと、さらに外径側に設けられる外径側環状電極１７ｃとを備えている。これら３つの電極は、受電用の一対の電極と受電姿勢検知用の電極である。
先にも説明したように、電源プレート２上にケトル本体３が載置された給電状態（給電姿勢）においては、給電機構４がケトル本体３内に嵌り込み、互いの電極が電気的に接続されて受電が可能となる。
【００２３】
図３、図４に示すように、前記受電機構１７と前記加熱操作スイッチ１５とは、電気ケトル１において広く使用されている連動ユニット１８で連結されている。この連動ユニット１８の構成を説明すると、ケトル本体３側に受電機構１７を備えるとともに、この受電機構１７と一体に外周方向に延びる固定腕部１８ｂを備えたユニット本体１８ａと、その腕部１８ｂの上部側に設けられ、ユニット本体１８ａに対して上下方向に揺動自在な揺動腕部１８ｃとを備えて構成されている。
【００２４】
前記固定腕部１８ｂの外周側端には、ケトル本体上部から導かれる蒸気検知具１９（具体的には蒸気感応板からなり、蒸気に感応して変形する）が備えられている。前記揺動腕部１８ｃの先端は、先に説明した加熱操作スイッチ１５が連結されている。
ケトル本体３に設けられる受電機構１７が、電源プレート２に設けられる給電機構４から電気の供給を受けられる状態で、且つ、蒸気検知具１９が蒸気を検知していない状態で、加熱操作スイッチ１５は、実線で示すその待機姿勢に保たれる。加熱操作スイッチ１５が押し下げ操作されると、前記揺動腕部１８ｃは下方に揺動され加熱維持姿勢に維持されるとともに、加熱機構１６への給電を行う。従って、水の加熱が開始される。
加熱によりケトル本体３内の水が沸騰すると、その湯から発生する蒸気がケトル本体側部に設けられる蒸気路４０を介して蒸気検知具１９に到達し、この蒸気検知具１９の蒸気検知に伴って、下方に揺動姿勢保持されていた前記揺動腕部１８ｃの姿勢保持が解除され、上方に揺動復帰されるとともに、加熱機構１６への給電が停止される。同時に、加熱操作スイッチ１５は、加熱維持姿勢から待機姿勢に復帰する。
【００２５】
従って、連動ユニット１８は、受電機構１７と連動して、生成される湯から発生する蒸気を検知して、加熱機構１６による加熱を停止する停止機構として働く。
【００２６】
以上が本願に係る電気ケトル１の構成であるが、以下、この電気ケトル１に採用している特徴構成について説明する。
〔給湯操作〕
図５に示すように、本願に係る電気ケトル１には、注口９を介する湯水の本体ボディ７からの流出を阻止可能な弁機構２０が設けられており、この弁機構２０の給湯操作ボタン１４を、蒸気口１２に対して上下方向下側の位置で、注口９に対して、蒸気口１２を挟む反対側の位置に設けている。そして、上面視、注口９と給湯操作部である給湯操作ボタン１４との間に、注口９を介する湯水の本体ボディ７からの流出を阻止可能な弁機構２０を、内容器７０の中央より注口９側に寄せて設けている。
【００２７】
そして、弁機構２０が、蓋本体８０に設けられる弁座２２と、当該弁座２２に当接した状態で湯水の流出を阻止する弁体５０と、この弁体５０を閉状態側に付勢する弁体付勢機構２３を備えて構成されている。この弁体付勢機構２３は図からも判明するように弾性部材であるスプリング２３ａと、下板８３の上部に位置され、蓋本体８０に固定連結された固定支持部材８４に下方より支持される座２３ｂである。
弁体５０は、蓋本体８０に設けられる案内孔８５内を移動する中心移動軸５１と、中心移動軸５１と同心に設けられる環状弁部５２を備えて構成され、案内孔８５に沿った中心移動軸５１の移動に従って、弁機構２０が開閉される。
弁体５０は、前記中心移動軸５１と同心に設けられ、当該中心移動軸５１の移動方向に伸びる外径側円筒部５３を備えるとともに、前記環状弁部５２が外径側円筒部５３から外径側に延出されて構成されており、外径側円筒部５３から内径側に延出される補強リブ部５４が周方向に６箇所設けられている。この例では、この補強リブ５４は、中心移動軸５１の移動方向に延びる板状に構成されている。
さらに、前記中心移動軸５１と前記環状弁部５２とを、中心移動軸５１の一端側で連結する連結部５５を備え、中心移動軸５１の外径側周部に、軸方向に延びる凸部５６を設けるとともに、案内孔８５の内径面に、軸方向に延びる凹部８６を設け、前記凸部５６が前記凹部８６に嵌込して案内される。
【００２８】
前記給湯操作ボタン１４が、弁機構２０の閉状態を維持する待機位置（図３に示す位置）と弁機構２０が開状態とされる操作位置（図５に示す位置）との間で、移動自在に構成されるとともに、給湯操作ボタン１４を待機位置に付勢する開閉操作部付勢機構２４を備えている。そして、給湯操作ボタン１４が開閉操作部付勢機構２４の付勢力に抗して、図５に示す操作位置側へ操作された被操作状態で、弁機構２０が開弁される。
【００２９】
本願に係る電気ケトル１では、前記待機位置からの前記給湯操作ボタン１４の操作量に従って、弁機構２０の開度が変化する構成が採用されている。
図３、図５に示すように、弁機構２０と、給湯操作ボタン１４との間に、給湯操作ボタン１４の位置に従って、本体ボディ前後方向に移動自在な移動部材２５を設け弁体５０に上下方向に移動自在な中心移動軸５１を設けるとともに、前記移動部材２５の弁体側に、中心移動軸５１に当接して、弁体５０を弁開方向に移動操作可能な操作部２５ａを設けている。
そして、図からも判明するように、中心移動軸５１が操作部２５ａに当接する当接状態で、操作部２５ａとして、弁開度が所定開度に維持される開度維持部２６と、弁開度が増加又は減少する開度変更部２７とを備えている。具体的には、図５に示すように、この開度維持部２６は、蓋体８が閉じられた姿勢で、ほぼ水平方向に延びる水平当接面として構成され、開度変更部２７は、給湯操作ボタン１４の押し込み操作に従って、中心移動軸５１を押下げる方向に働く傾斜当接面となっている。
【００３０】
〔蓋開閉〕
以下、図６から図１０に基づいて、蓋体８の開閉のための蓋体開閉操作部１１まわりの構成に関して説明する。
図６は、移動部材２５と蓋体開閉操作部１１の位置関係を示す図であり、図７は、蓋体開閉操作部１１が押入操作されて、蓋体８を揺動開操作可能な状態を示す図であり、図８は、給湯操作ボタン１４が押し込まれ、移動部材２５が注口９側へ移動した状態で、蓋体開閉操作部１１の押入操作ができない状態を説明する図面である。さらに、図９、図１０は、それぞれ蓋体開閉操作部１１まわりの構成を示す分解斜視図である。
【００３１】
蓋体８の開閉は、図７に示すように、蓋体開閉操作部１１が押入操作されることで、本体ボディ７との係合部材９０の係合が外れることで可能となる。即ち、蓋体開閉操作部１１の前側（注口側）が押入操作されることで、その揺動軸１１ａ周りに揺動し、係合部材９０の係合作用部９１が後方に移動することで、係合が外れる。
但し、図８に示すように、給湯操作ボタン１４が押し込まれ、移動部材２５が注口９側へ移動した状態では、蓋体開閉操作部１１の揺動が移動部材２５の先端で阻止され、実質的な押入操作を行うことができないように構成してもよい。
【００３２】
これら図からも判明するように、係合作用部９１は、揺動軸１１ａより前側で、かつ、揺動軸１１ａより下側に配置されている。従って、電気ケトル１の上部がスッキリとした構成となるとともに、蓋体８の開閉を良好に行える。
さらに、係合部材９０に対しては、この係合部材９０を係合側に付勢する係合部材付勢機構９２が設けられているが、図９等からも判明するように、前記係合作用部９１は、上面視、注口９の位置を挟む形態で一対設けられており、それらの後方に同軸（同一直線上）に、前記係合部材付勢機構９２を成す一対のスプリング９２ａが設けられている。結果、係合部材９０が前後方向に均等に付勢できる。同時に、前記蓋体開閉操作部１１の係合部材９０に対する作用部位１１ｂも、前記係合作用部９１に対応して一対設けられるとともに、上面視、同一直線上に重なる位置とされている。結果、係合部材９０のスムーズな動作が可能である。
この係合部材９０は、上面視では、概略、井桁状に構成されており、移動に伴ってゆがみ等が発生しにくい構成が採用されている。
【００３３】
〔残水量の低減〕
本願に係る電気ケトル１では、弁機構２０を極力、注口９側に寄せることで、給湯開始の迅速化及び残水量の低減が図られているが、蓋本体の形状構成に関しても工夫が成されている。即ち、図５、図６に示すように、弁機構２０のハンドル１０側の下面には、弁機構２０に近づくに従って内容器７０側、即ち、電気ケトル１において下側となる傾斜面２８が備えられている。このような傾斜面２８を設けることでも、水切れを良好なものとし、残水量を減らすことができる。
【００３４】
〔注口下部の集水〕
以下、図５、図１１、図１２に基づいて、蓋体８の開閉のための蓋体開閉操作部１１まわりの構成に関して説明する。
湯沸し前に使用者が水を内容器７０に入れた際、内容器の７０のフランジ付近（容器用パッキン８２の外側）に水が残ったままとなることがある。湯沸し後、これに気づかず、ケトル本体３を給湯のため傾けてしまうと、蓋体８と本体ボディ７との隙間から、湯が漏れることがある。さらに、容器パッキン８２が劣化すると、給湯時に、同じ箇所から湯が漏れる可能性がある。
【００３５】
そこで、本願に係る電気ケトル１では、注口９の下部の本体ボディ７の形状に関しても一定の工夫がされている。この部位は、注口９の下部に位置し、本体ボディ７の外郭よりは内側に位置する部位である。先にも示したように、本願に係る電気ケトル１は、内容器７０を備えた構成を採用しており、その上面外径部にフランジが備えられている。さらに、このフランジを、本体ボディ７に設けられた支持部７ａより支持する構造が採用されている。従って、この構造では、前記支持部７ａの上側に容器用パッキン８２に対して外部となる空間７２が存在する。本願においては、この空間７２に残留した水が問題なのであるが、この水を注口９の下部に集める構成を採用している。
【００３６】
そこで、本願に係る電気ケトル１では、本体ボディ７の注口９の下部域に、図１１に示す傾斜凹部７３を形成している。この傾斜凹部７３の上面視形状は、注口９センタに近接する程、傾斜凹部の先端が注口側（先端側）に出るように構成されている。図１１に示す例では、上面視形状が円弧状に張り出した例であり、図１２に示す例は、注口９の幅方向のセンタにおいて、注口９の下部で最も張り出した受け口形状とする例である。この傾斜凹部の７３の両側に、先に説明した係合作用部９１が係合する被係合部７４が一対設けられている。
このように、傾斜凹部７３を注口９下部の本体ボディ７部位に設けることで、本体ボディ７を傾けた状態で、フランジ上の湯を、注口下部（幅方向のセンタ）に集めて、外部へ放出することができる。このような傾斜凹部としては、円弧状、受け口状に構成する他、上面視幅方向センタ振り分けの直線状辺を備えた構成としても良い。
【００３７】
〔別実施形態〕
（イ）  これまで説明してきた実施形態では、沸騰状態を検知して加熱完了状態を検知するものとしたが、湯水の温度を直に検知したり、予測検知したりして、加熱完了を検知し、停止機構を働かせるものとしてもよい。
(ロ)  上記の実施形態においては、弁体に補強リブを設けた構成を示したが、材料選択、他の部位の寸法選択等により、弁体の剛性が充分確保できるのであれば、この補強リブを設ける必要は必ずしもない。また、案内孔に設けられる凹部、中心移動軸に設けられる
凸部に関しても、回り止めが確保できれば同様である。
【産業上の利用可能性】
【００３８】
以上説明したように、ケトル本体を傾けて注湯する給湯時に、片手で容易に操作を行うことができ、さらに、弁機構を注口側に寄せたので、迅速に給湯が始まる電気ケトルを得ることができた。
【図面の簡単な説明】
【００３９】
【図１】電気ケトルの外観を示す図
【図２】使用状態にある電気ケトルを示す図
【図３】給湯操作ボタンが押圧されていない状態での電気ケトルの縦断面図
【図４】電気ケトルの下部縦断面図
【図５】給湯操作ボタンが押圧された状態での電気ケトルの上部縦断面図
【図６】係合部材周りの構成を示す縦断面図
【図７】係合部材による係合が解除された状態を示す図
【図８】移動部材が進入し、係合部材による係合解除ができない状態を示す図
【図９】上方から見た係合部材周りの構成を示す分解斜視図
【図１０】下方から見た係合部材周りの構成を示す分解斜視図
【図１１】傾斜凹部周りの構造を示す斜視図
【図１２】別実施形態の傾斜凹部周りの構造を示す斜視図
【図１３】従来構成の電気ケトルの縦断面図
【符号の説明】
【００４０】
１    電気ケトル
７    本体ボディ
８    蓋体
９    注口
１０  ハンドル
１１  蓋体開閉操作部
１４  給湯操作ボタン（給湯操作部）
１５  加熱操作スイッチ（始動スイッチ）
１６  加熱機構
２０  弁機構
２２  弁座
２３  弁体付勢機構
２４  給湯操作部付勢機構
２５  移動体
５０  弁体
５１  中心移動軸
８５  案内孔
【図１】
2010069017.tif 000003
【図２】
2010069017.tif 000004
【図３】
2010069017.tif 000005
【図４】
2010069017.tif 000006
【図５】
2010069017.tif 000007
【図６】
2010069017.tif 000008
【図７】
2010069017.tif 000009
【図８】
2010069017.tif 000010
【図９】
2010069017.tif 000011
【図１０】
2010069017.tif 000012
【図１１】
2010069017.tif 000013
【図１２】
2010069017.tif 000014
【図１３】
2010069017.tif 000015